【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ハウジングと、
外耳道ストークと、
外表面及び内表面を含むフィルタであって、周囲音波が前記フィルタを前記外表面から前記内表面へ通り抜けて周囲音チャネルに入る、フィルタと、
内部音波を生成する１つ又は複数の音ドライバと、
前記１つ又は複数の音ドライバ、前記外耳道ストーク、及び前記周囲音チャネルのそれぞれに連結された音響低圧イコライゼーション処理装置（「ＳＬＥＤ」）であって、前記ＳＬＥＤは、内部音波及び周囲音波を前記外耳道ストークに伝える予め定められた空間容量を含み、これにより、前記内部音波の前記外耳道ストークにおける周波数応答の程度が、２０Ｈｚから始まる周波数応答の予め定められた範囲内に維持される、ＳＬＥＤとを備える、パッシブアンビエント式インイヤ型モニタ。
【請求項２】
前記外耳道ストークはイヤチップを含み、前記イヤチップは外耳道を完全にふさぐ、請求項１に記載のパッシブアンビエント式インイヤ型モニタ。
【請求項３】
前記フィルタは一方向性音響フィルタである、請求項１に記載のパッシブアンビエント式インイヤ型モニタ。
【請求項４】
前記一方向性音響フィルタは、前記内表面から前記外表面へ通り抜ける内部音波を実質的に低減させる、請求項３に記載のパッシブアンビエント式インイヤ型モニタ。
【請求項５】
前記一方向性音響フィルタは、前記外表面から前記内表面へ通り抜ける周囲音波を減衰させる、請求項３に記載のパッシブアンビエント式インイヤ型モニタ。
【請求項６】
前記周囲音波は、予め定められた減少振幅で前記一方向性音響フィルタを通り抜ける、請求項５に記載のパッシブアンビエント式インイヤ型モニタ。
【請求項７】
前記一方向性音響フィルタは、周囲音を０〜１０ｄＢ減衰させる、請求項６に記載のパッシブアンビエント式インイヤ型モニタ。
【請求項８】
前記一方向性音響フィルタは、周囲音を１０〜２５ｄＢ減衰させる、請求項６に記載のパッシブアンビエント式インイヤ型モニタ。
【請求項９】
前記周波数応答の予め定められた範囲が±４ｄＢである、請求項１から８のいずれか一項に記載のパッシブアンビエント式インイヤ型モニタ。
【請求項１０】
前記周波数応答の予め定められた範囲が±６ｄＢである、請求項１から９のいずれか一項に記載のパッシブアンビエント式インイヤ型モニタ。
【請求項１１】
周囲音波の減衰の程度は、前記予め定められた空間容量に基づいている、請求項１から１０のいずれか一項に記載のパッシブアンビエント式インイヤ型モニタ。
【請求項１２】
前記外耳道ストークにおける２０〜２００００Ｈｚにわたる前記内部音波に関する周波数応答の前記予め定められた範囲は±４ｄＢである、請求項１から１１のいずれか一項に記載のパッシブアンビエント式インイヤ型モニタ。
【請求項１３】
前記外耳道ストークにおける２０〜２００００Ｈｚにわたる前記内部音波に関する周波数応答の前記予め定められた範囲は±６ｄＢである、請求項１から１２のいずれか一項に記載のパッシブアンビエント式インイヤ型モニタ。
【請求項１４】
前記外耳道ストークにおける２０〜２０００Ｈｚにわたる前記内部音波に関する周波数応答の前記予め定められた範囲は±４ｄＢである、請求項１から１３のいずれか一項に記載のパッシブアンビエント式インイヤ型モニタ。
【請求項１５】
前記外耳道ストークにおける２０〜２００Ｈｚにわたる前記内部音波に関する周波数応答の前記予め定められた範囲は±４ｄＢである、請求項１から１４のいずれか一項に記載のパッシブアンビエント式インイヤ型モニタ。
【請求項１６】
前記ＳＬＥＤは、前記外耳道ストークを一体化したコンポーネントである、請求項１から１５のいずれか一項に記載のパッシブアンビエント式インイヤ型モニタ。
【請求項１７】
外耳道を完全にふさぐようにインイヤ型モニタを構成する段階であって、前記インイヤ型モニタは、外耳道ストーク、１つ又は複数のドライバ、フィルタ、及び音響低圧イコライゼーション処理装置（「ＳＬＥＤ」）を含む、段階と、
前記１つ又は複数の音ドライバ、前記外耳道ストーク、及び前記フィルタのそれぞれの間に前記ＳＬＥＤを挿入する段階と、
前記１つ又は複数のドライバが内部音波を生成する段階と、
前記ＳＬＥＤが、前記フィルタを通った周囲音波と、前記１つ又は複数の音ドライバからの内部音波とを受信する段階と、
前記ＳＬＥＤが周囲音波及び内部音波を予め定められた空間容量を通って前記外耳道ストークに伝える段階であって、これにより、前記１つ又は複数の音ドライバによって生成される前記内部音波の前記外耳道ストークにおける周波数応答の程度が、２０Ｈｚから始まる周波数応答の予め定められた範囲内に維持される、段階とを備える、パッシブな周囲音をインイヤ型モニタに供給するための方法。
【請求項１８】
前記フィルタを通り抜ける内部音波を実質的に低下させる段階をさらに備える、請求項１７に記載のパッシブな周囲音をインイヤ型モニタに供給するための方法。
【請求項１９】
前記フィルタを通って受信された周囲音波を減衰させる段階をさらに備える、請求項１７に記載のパッシブな周囲音をインイヤ型モニタに供給するための方法。
【請求項２０】
前記フィルタは、周囲音波を０〜１０ｄＢ減衰させる、請求項１９に記載のパッシブな周囲音をインイヤ型モニタに供給するための方法。
【請求項２１】
前記フィルタは、周囲音波を１０〜２５ｄＢ減衰させる、請求項１９に記載のパッシブな周囲音をインイヤ型モニタに供給するための方法。
【請求項２２】
周波数応答の前記予め定められた範囲を±４ｄＢに制限する段階をさらに備える、請求項１７から２１のいずれか一項に記載のパッシブな周囲音をインイヤ型モニタに供給するための方法。
【請求項２３】
周波数応答の前記予め定められた範囲を±６ｄＢに制限する段階をさらに備える、請求項１７から２２のいずれか一項に記載のパッシブな周囲音をインイヤ型モニタに供給するための方法。
【請求項２４】
前記予め定められた空間容量に基づいて、周波数応答の前記予め定められた範囲を制限する段階をさらに備える、請求項１７から２３のいずれか一項に記載のパッシブな周囲音をインイヤ型モニタに供給するための方法。
【請求項２５】
前記外耳道ストークにおける２０〜２００００Ｈｚの前記内部音波に関する周波数応答の前記予め定められた範囲を±４ｄＢに制限する段階をさらに備える、請求項１７から２４のいずれか一項に記載のパッシブな周囲音をインイヤ型モニタに供給するための方法。
【請求項２６】
前記外耳道ストークにおける２０〜２００００Ｈｚの前記内部音波に関する周波数応答の前記予め定められた範囲を±６ｄＢに制限する段階をさらに備える、請求項１７から２５のいずれか一項に記載のパッシブな周囲音をインイヤ型モニタに供給するための方法。
【請求項２７】
前記外耳道ストークにおける２０〜２０００Ｈｚの前記内部音波に関する周波数応答の前記予め定められた範囲を±４ｄＢに制限する段階をさらに備える、請求項１７から２６のいずれか一項に記載のパッシブな周囲音をインイヤ型モニタに供給するための方法。
【請求項２８】
前記外耳道ストークにおける２０〜２００Ｈｚの前記内部音波に関する周波数応答の前記予め定められた範囲を±４ｄＢに制限する段階をさらに備える、請求項１７から２７のいずれか一項に記載のパッシブな周囲音をインイヤ型モニタに供給するための方法。